(57)【特許請求の範囲】
【請求項１】
天板（２）の上面に把手（１）を取り付け、この天板（２）の一方端辺に複数の袋体を形成している網状布（４）を複数個つなぎ、この袋体の各々の中に吸水体(３)を挿入して配設したことを特徴としている除水具。
【請求項２】
複数の穴（５、５・・・）を有する蓋（６）付きの容器（７）と、請求項１記載の除水具（８）との両方からなることを特徴としている除水具セット。
【発明の詳細な説明】
【技術分野】
【０００１】
本発明は、グランド、テニスコート、路面、建設現場のコンクリート上等の滞留水を除水する方法に関するものである。
【背景技術】
【０００２】
従来、最も簡単に滞留水を除水する方法としては、スポンジを滞留水の中に浸け手でスポンジを押さえて滞留水を吸収させ、手でスポンジを絞る方法である。実願平６−４７３０号は握り棒の先端に取り付けたコ字状の枠に吸水性の円筒状のスポンジを支持させ、滞留水の中を回転させて移動し吸水体で水を吸収させた後、その吸水体を立てにして押子部材を軸方向に圧縮させることによって排水させるものである。また出願人が先に特許を取得している第３５２６３００号は複数の穴を有する蓋付き容器と、天板に把手を取り付けその天板の下面に保水体を設け、容器の中に収納できる大きさの保水具との両方からなることを特徴とする除水具である。
【０００３】
【特許文献１】特許第３５２６３００号
【特許文献２】実願平６−４７３０号
【発明の開示】
【発明が解決しようとする課題】
【０００４】
グランド、テニスコート、路面等の滞留水は浅く広範囲に分散している。深い部分も存在し除水量は想像以上に多く、人手によって除水するには時間がかかり、運ぶには大変重いものである。特に冬期の作業は水が冷たいため敬遠される作業である。短時間に最も簡単に滞留水を除水する方法としては、手軽に持ち運びの出来る大きさの容器と出来るだけ大きい平面の保水体で滞留水を吸収することが出来る構造であり、滞留水を残さず最後まで吸収出来る事が重要な問題点である。そして吸収した水を簡単に容器に搾水できる構造であり、この容器を簡単に運ぶことが出来るものでなければならない。
【０００５】
本発明は、広範囲に点在する滞留水を比較的小さなパワーで、四季を問わず誰にでも楽な姿勢で水に触れることなく、滞留水を効率よく吸収することができると共に、吸収した水を簡単に搾水できる構造にすることを課題としたものである。
【課題を解決するための手段】
【０００６】
本発明の請求項１記載の除水具（以下、本発明１という）は、天板２の上面に把手１を取り付け、この天板２の一方端辺に複数の袋体を形成している網状布４を複数個つなぎ、この袋体の各々の中に吸水体３を挿入して配設したことを特徴としている。
【０００７】
本発明で言う吸水体３としては、滞留水を吸収するものであれば良くスポンジ、吸水性のある布、糸など袋体の中に入れることが出来るものを言う。
【０００８】
かかる構成により、図１に示すように本発明１の把手１付きの天板２の一方端辺に、複数の袋体に吸水体３、３・・・を入れた網状布４を取り付けることによって、吸水体３、３・・・を一列に横に並べたり、図２に示すように吸水体３、３・・・を上から重ねて折り畳んだりすることが出来るものである。
【０００９】
本発明の請求項２記載の除水具（以下、本発明２という）は、複数の穴５、５・・・を有する蓋６付きの容器７と、請求項１記載の除水具８との両方からなることを特徴としている。
【００１０】
本発明２の容器７の形状、大きさは特に限定するものではない。
【００１１】
かかる構成により、図３に示すように本発明２は容器７の中に除水具８を収納して運んだり、容器７の上に引っ繰り返してのせた複数の穴５、５・・・を有する蓋６の上から搾水したりすることが出来るものである。
【発明の効果】
【００１２】
本発明１の効果として、図１に示すように本発明１の把手１付きの天板２の一方端辺に取り付けた複数個の網状布４に入れた吸水体３、３・・・は、滞留水の中に入れた場合、横に並べるようにして置くことが出来るので、吸水体３、３・・・は滞留水を吸収し易く、また滞留水を吸収した本発明１は図２に示すように吸水体３、３・・・を折り畳むように重ねて把手１を押さえることによって搾水することができるものである。
【００１３】
本発明２の効果として、図３に示すように本発明２の複数の吸水体３、３・・・を網状布４に入れて折り畳むように重ねることが出来る除水具８は、容器７の中に収納して簡単に持ち運びすることが出来る。そして滞留水を吸収した吸水体３、３・・・は容器７の上に引っ繰り返してのせた複数の穴５、５・・・を有する蓋６の上から吸水体３、３・・・を折り畳むように重ねて、把手１を上から押さえることによって吸収した滞留水を容器７の中に搾水することが出来るものである。  
【発明を実施するための最良の形態】
【００１４】
天板２の上面に把手１を取り付け、この天板２の一方端辺に複数の袋体を形成している網状布４を複数個つなぎ、この袋体の各々の中に吸水体３を挿入した除水具８と複数の穴５、５・・・を有する蓋６付きの容器７との両方からなることである。
【実施例１】
【００１５】
実施の形態の一例として、図１は本発明１の斜視図である。天板２の上面に把手１を取り付け、この天板２の一方端辺に複数の袋体を形成している網状布４を複数個つなぎ、この袋体の各々の中に吸水体３を挿入して配設したことで構成されている。
【００１６】
図１に示すように本発明１は把手１付きの天板２の一方端辺に、複数の袋体に吸水体３、３・・・を入れた網状布４を取り付けることによって、滞留水の中に吸水体３、３・・・を入れた場合は、横に広げて並べることが出来る。そして把手１付きの天板２、手、足で吸水体３、３・・・を押さえて滞留水を吸収させ、上から重ねて折り畳んで搾水することができるものである。図２では３個の吸水体３を取り付けているが、吸水体３の数を増やすことで多くの滞留水を吸収することが出来る。
【００１７】
本発明１を使用して除水する方法は滞留水の量によって異なる。滞留水の量が少なく点在している場合は、その滞留水の上に吸水体３、３・・・を直接被せて吸収させれば良く、完全に滞留水を取り除くには吸水体３、３・・・を手で絞って吸収させることが出来る。滞留水が大量にある場合は、容器７を近くに置き吸水体３、３・・・が水を吸収して重くなった状態で穴５、５・・・の開いた蓋６の上にのせて容器７の中に搾水すれば良い。容器７が滞留水で一杯になった時は容器７を側溝まで運んで流し、これらの作業を繰り返すことによって効率的に除水作業をすることが出来る。
【００１８】
実施の形態の一例として、本発明１の把手１は幅２．５ｃｍ、高さ４．５ｃｍ、長さ１６．３ｃｍのガラス繊維入り強化ポリアミド製のもので、天板２は厚み５ｍｍ、２０ｃｍ×１８ｃｍのアクリル板であるが、防水加工をした木製、ステンレスの板でも良い。網状布４はポリエステル製のメッシュを使用し、吸水体３は１８ｃｍ×１８ｃｍ×４ｃｍのウレタン系のスポンジである。網状布の一方端辺近傍に複数の金属性リングを取り付け、天板２の一方端部に設けた穴にボルトによって取り付けたものを製作し、グランドに点在する滞留水の中で使用したところ、様々な滞留水に対応して滞留水を吸い取ることが出来た。把手１の他の材質として、ステンレス、アルミ、合成樹脂など握り易いものが良い。
【００１９】
本発明１は通常グランドなどの砂地で使用するものであるが、掬い難い容器の底に残った液体を取り除くことも出来る。駅伝やマラソンの時の雨上がりの道路上には滞留水が多く残っている場合をよく見ることがある。このような場合も簡単に除水することが出来る。またコンクリート打設後のブリージング水の回収、洪水後の後始末などの除水作業も可能である。大きさは自由に製作することが出来るので、小型のものを造ることによって子供でも安全に使用することが出来る。そして本体やローラーの耐薬品性のある素材を選ぶことによって、人が手を触れる事が出来ない薬液の回収など、使用する環境に応じて幅広く利用することができるものである。
【００２０】
本発明１は吸水体３を網状布４で被せているので、ゴミ、砂、小石などをいっしょに吸収させることは少なく、網状布４の表面に付いたゴミ、砂、小石などは搾水した時に流れ落ちる。除水作業の後は十分水洗する必要があるが、吸水体３は劣化した場合、交換出来るように網状布４の側辺にファスナーを取り付ければ良い。また網状布４に入った吸水体３、３・・・全体を天板２から取り外し交換することも出来る。
【実施例２】
【００２１】
実施の形態の一例として、図３は本発明２の斜視図である。複数の穴５、５・・・を有する蓋６付きの容器７と、請求項１記載の除水具８との両方からなることで構成されている。
【００２２】
実施の形態の一例として、図３に示している容器７はプラスチック製のバケツであるが、金属製のバケツでも良い。別の容器７として方形の大きい容器７に大きい吸水体３を入れた網状布３を使用することによって、滞留水の吸収量を多くして作業効率を上げることが出来る。
【００２３】
本発明２はコンパクトで軽く簡単に持ち運ぶことができ、誰にでも比較的小さなパワーで簡単に除水作業が出来るので、グランドなど多く人の協力が得られる場所では、多数の本発明２を使用することで広範囲の除水作業を短時間ですることが出来る。特に冬期の水の冷たい時期の作業は水に手を触れることなくすることが出来るので大変便利である。
【図面の簡単な説明】
【００２４】
【図１】本発明１の実施の形態の一例を示す斜視図である。
【図２】本発明１の使用説明図である。
【図３】本発明２の実施の形態の一例を示す斜視図である。
【符号の説明】
【００２５】
１    把手
２    天板
３    吸水体
４    網状布
５    穴
６    蓋
７    容器
８    除水具
９    滞留水
【要約】
【課題】
本発明は、広範囲に点在する滞留水を比較的小さなパワーで、四季を問わず誰にでも楽な姿勢で水に触れることなく、滞留水を効率よく吸収することができると共に、吸収した水を簡単に搾水できる構造にすることを課題としたものである。
【解決手段】
天板２の上面に把手１を取り付け、この天板２の一方端辺に複数の袋体を形成している網状布４を複数個つなぎ、この袋体の各々の中に吸水体３を挿入して配設したことである。
【選択図】    図１
【図１】
0003691843.tif 000002
【図２】
0003691843.tif 000003
【図３】
0003691843.tif 000004